(57)【特許請求の範囲】
【請求項１】
筒状のハウジングの前側に集塵室を形成する一方、後側に電動送風機を収容して、前記ハウジングに、前記集塵室を開閉可能な蓋体をヒンジ結合したクリーナであって、
前記蓋体を、前記ハウジングに対して回転自在に軸支されるヒンジ軸を備えてヒンジ結合されるジョイント部と、そのジョイント部と別体のカバー部とに分割形成して、前記ジョイント部と前記カバー部との間に、前記ジョイント部と前記カバー部との結合状態で両者の抜け方向に対して互いに係止し、前記ジョイント部に対する前記カバー部の開放側への回転によって互いの離間方向に移動することで互いの係止が解除される抜け止め部をそれぞれ設けると共に、
前記ジョイント部と前記カバー部との結合状態で、前記ヒンジ軸の軸方向で互いに弾性的に係合し、前記ジョイント部に対する前記カバー部の開放側への回転によって互いの離間方向に移動することで互いの係合が解除される回り止め部をそれぞれ設けて、
前記蓋体が前記集塵室を開放した状態で、前記カバー部のみをさらに開放側へ回転させて前記回り止め部同士の係合を解除すると、前記抜け止め部同士の係止も解除されて前記カバー部が前記ジョイント部から取り外し可能となることを特徴とするクリーナ。
【請求項２】
前記抜け止め部を、前記ジョイント部の内面に突設されて前端が下向きに突設する係止部となる係止片と、前記カバー部の後端に突設されて後端が上向きに突設する係止部となる係止腕とで形成する一方、
前記ジョイント部には、前記ヒンジ軸が前記ジョイント部の左右方向へ延びるように備えられて、前記ヒンジ軸の軸方向を前記左右方向として、
前記回り止め部を、前記ジョイント部の内面における前記係止片の左右外側で下向きに突設されて左右方向に弾性を有する係合板と、前記カバー部の後端で前記係合板の外面に嵌合する嵌合部とで形成したことを特徴とする請求項１に記載のクリーナ。
【発明の詳細な説明】
【技術分野】
【０００１】
この発明は、筒状のハウジングの前側に集塵室を形成する一方、後側に電動送風機を収容して、前記ハウジングに、前記集塵室を開閉可能な蓋体をヒンジ結合したクリーナに関する。
【背景技術】
【０００２】
特許文献１には、本体に集塵凹所を有し、この集塵凹所に装着した紙フィルターへ粉塵等を捕集するコードレス式の小型携帯用掃除機が開示されている。この小型携帯用掃除機では、集塵凹所の上方開口が、蓋体によって覆われており、この蓋体は、蝶番機構によって、上記の本体に前記上方開口を開閉自在に取り付けられている。
【先行技術文献】
【特許文献】
【０００３】
【特許文献１】特開昭６１−２４０９２７号公報
【発明の概要】
【発明が解決しようとする課題】
【０００４】
ところで、上記の小型携帯用掃除機等のクリーナでは、蝶番機構によって、本体を形成するハウジングに蓋体が取り付けられている場合には、ハウジングから蓋体を取り外すことができない。このため、上記の紙フィルターを交換する際に、蓋体が邪魔になることがあった。
【０００５】
また、例えば、蓋体が、上記の上方開口を開放した状態でハウジングから突出しているときに、誤って偶発的に外力を受けた場合には、上記の蝶番機構に力が集中して加わることで蝶番機構が変形すること等に起因して、蓋体も破損することが考えられる。
【０００６】
この発明は、このような状況に鑑み提案されたものであって、ハウジングから簡単に蓋体を取り外しできると共に、偶発的な外力によって蓋体が破損することを防止できるクリーナを提供することを目的とする。
【課題を解決するための手段】
【０００７】
請求項１の発明に係るクリーナは、筒状のハウジングの前側に集塵室を形成する一方、後側に電動送風機を収容して、前記ハウジングに、前記集塵室を開閉可能な蓋体をヒンジ結合したクリーナであって、前記蓋体を、前記ハウジングに対して回転自在に軸支されるヒンジ軸を備えてヒンジ結合されるジョイント部と、そのジョイント部と別体のカバー部とに分割形成して、前記ジョイント部と前記カバー部との間に、前記ジョイント部と前記カバー部との結合状態で両者の抜け方向に対して互いに係止し、前記ジョイント部に対する前記カバー部の開放側への回転によって互いの離間方向に移動することで互いの係止が解除される抜け止め部をそれぞれ設けると共に、前記ジョイント部と前記カバー部との結合状態で、前記ヒンジ軸の軸方向で互いに弾性的に係合し、前記ジョイント部に対する前記カバー部の開放側への回転によって互いの離間方向に移動することで互いの係合が解除される回り止め部をそれぞれ設けて、前記蓋体が前記集塵室を開放した状態で、前記カバー部のみをさらに開放側へ回転させて前記回り止め部同士の係合を解除すると、前記抜け止め部同士の係止も解除されて前記カバー部が前記ジョイント部から取り外し可能となることを特徴とする。
【０００８】
請求項２の発明は、請求項１において、前記抜け止め部を、前記ジョイント部の内面に突設されて前端が下向きに突設する係止部となる係止片と、前記カバー部の後端に突設されて後端が上向きに突設する係止部となる係止腕とで形成する一方、前記ジョイント部には、前記ヒンジ軸が前記ジョイント部の左右方向へ延びるように備えられて、前記ヒンジ軸の軸方向を前記左右方向として、前記回り止め部を、前記ジョイント部の内面における前記係止片の左右外側で下向きに突設されて左右方向に弾性を有する係合板と、前記カバー部の後端で前記係合板の外面に嵌合する嵌合部とで形成したことを特徴とする。
【発明の効果】
【０００９】
請求項１の発明に係るクリーナによれば、蓋体の開放状態で、カバー部のみを該カバー部の開放側へ回転させる単純な操作を行うだけで、カバー部がジョイント部から簡単に取り外し可能になる。
また、蓋体の開放状態で、誤ってカバー部に偶発的に外力が加わることがあっても、偶発的な外力によって、カバー部がその開放側へ回転すると、抜け止め部におけるジョイント部とカバー部との係止や、回り止め部におけるジョイント部とカバー部との係合をそれぞれ解除できる。このため、ジョイント部とカバー部との係止部分や係合部分に過度の力が加わることがないため、係止部分や係合部分の変形や折損等を防止して、蓋体を形成するジョイント部やカバー部の破損を防止できる。
請求項２の発明によれば、係止腕を係止片に係止させる簡単な構造で、確実に、カバー部の係止腕とジョイント部の係止片とを係止して、カバー部がジョイント部から抜けることを防止できる。加えて、ジョイント部に対するカバー部の開放側への回転によって、カバー部に設けた係止腕が、ジョイント部に設けた係止片を乗り越えることで、容易に、係止腕と係止片との係止状態を解除できる。
また、係合板の外面に嵌合部を嵌合させる簡易な構造で、確実に、ジョイント部の係合板と、カバー部の嵌合部とを係合させて、ジョイント部に対するカバー部の回り止めが可能になる。加えて、ジョイント部に対するカバー部の開放側への回転によって、カバー部に設けた嵌合部が、ジョイント部に設けた係合板を、その付勢力に抗してジョイント部の内面における左右方向へ押すことで、係合板の外面から嵌合部が離脱して、前記外面に嵌合部が嵌合する状態を解除できる。これにより、容易に、前記外面と嵌合部との係合を解除できる。
【図面の簡単な説明】
【００１０】
【図１】本発明の実施形態のクリーナの要部横断面図である。
【図２】クリーナのジョイント部からカバー部を取り外した状態を示した図である。
【図３】ジョイント部付近の拡大斜視図である。
【図４】（ａ）図は、ジョイント部とカバー部とが結合した状態を示す蓋体の要部横断面図であり、（ｂ）図は、（ａ）図のＡーＡ断面図である。
【図５】カバー部に設けた係止腕及び係合突起の説明図である。
【図６】蓋体が集塵室の上方を開放した状態を示した図である。
【図７】蓋体が集塵室の上方を開放した状態でのクリーナの要部横断面図である。
【図８】集塵室の上方を開放した状態でジョイント部に対してカバー部を開放側へ回転させた状態を示した図である。
【図９】（ａ）図は、カバー部の係止爪部とジョイント部の係止段部との係止を解除した状態を示した蓋体の要部横断面図であり、（ｂ）図は、カバー部の係合突起とジョイント部の係合凹部との係合を解除した状態を示した（ａ）図のＢ−Ｂ断面図である。
【図１０】ジョイント部からカバー部を取り外した状態の説明図である。
【発明を実施するための形態】
【００１１】
本実施形態のクリーナ１を、図１ないし図１０を参照しつつ説明する。図１に示すように、クリーナ１は、本体ハウジング１０と、蓋体２０とを備えている。図２に示すように、本体ハウジング１０は、樹脂で筒状に形成されており、本体ハウジング１０の前側（図２の右側）の内部には、凹状に形成した集塵室１１が設けられている。本体ハウジング１０の前端面には、吸引口１２が開設されている。集塵室１１には、フィルタＦが収容されて、このフィルタＦは、吸引口１２と連通する。
【００１２】
一方、本体ハウジング１０の後側（図１、２の左側）の内部には、電動送風機１３が収容されている。また、前記後側には、本体ハウジング１０と一体になってハンドル１４が設けられている。前記後側の外底面には、バッテリ１５が取り付けられている。このバッテリ１５によって、電動送風機１３の駆動モータＭを駆動させると、電動送風機１３が運転を開始して吸引風を発生させる。この吸引風と共に上記の吸引口１２から本体ハウジング１０の内側に吸い込まれた粉塵は、フィルタＦに捕捉される。
【００１３】
蓋体２０は、樹脂製であって、本体ハウジング１０の前後方向における中央付近で本体ハウジング１０の上部に対して回転自在にヒンジ結合されて、上記の集塵室１１の上方を開閉可能である。本実施形態では、蓋体２０を、ジョイント部２１と、カバー部２７とに分割可能に形成した。
【００１４】
図２ないし図４に示すように、ジョイント部２１は、ヒンジ本体２２と、ヒンジ軸２３と、係止片２４、２４と、係合板２５（２５Ａ、２５Ｂ）とを備えている。図３に示すように、ヒンジ軸２３は、ヒンジ本体２２に対し、本体ハウジング１０の左右方向へ延びるように形成されている。このヒンジ軸２３は、本体ハウジング１０に設けた軸支部（図示せず。）に、回転自在に軸支される。図２に示すように、支軸２３には、ねじりコイルばねＢが取り付けられている。このねじりコイルばねＢには、ヒンジ軸２３からその径方向の外側へ突出するループ部Ｂ１が設けられている。後述するように、スライド式ボタン１７の係止突部１７Ａ（図６参照。）と、カバー部２７の係止爪２７Ａ（同図参照。）との係止状態を解除すると、ねじりコイルばねＢの付勢力により、ヒンジ軸２３を支点として、ヒンジ本体２２が本体ハウジング１０の後側へ回転し、ヒンジ本体２２が、本体ハウジング１０に当たることで、本体ハウジング１０と略直交する位置を越えて前記後側へ倒れることを防止する。なお、図３では、ねじりコイルばねＢ、ループ部Ｂ１の図示を省略した。
【００１５】
図１及び図４の（ａ）、（ｂ）図に示すように、係止片２４、２４は、蓋体２０が集塵室１１の上方を閉鎖した状態で、ヒンジ本体２２の左右方向に所定の間隔を置いて、ヒンジ本体２２の内面に、下向きで突出して該ヒンジ本体２２の前後方向に延設されている。各係止片２４には、前端の突出寸法をその他の部分の突出寸法に比べて大きくすることで、係止段部２４Ａ（図３及び図４の（ａ）図参照。）がそれぞれ形成されている。各係止段部２４Ａには、後述するように、各係止腕２８の係止爪部２８Ａ（図４の（ａ）図参照。）が係止可能である。
【００１６】
係合板２５（２５Ａ、２５Ｂ）は、樹脂製の板ばねであって、図１及び図４の（ａ）、（ｂ）図に示すように、蓋体２０が集塵室１１の上方を閉鎖した状態で、ヒンジ本体２２の内面に、下向きで突設されている。一の係合板２５Ａは、図３及び図４の（ｂ）図に示すように、ヒンジ本体２２を正面視した状態で、一の係止片２４の左側に配置されている。また、他の係合板２５Ｂは、ヒンジ体２２を正面視した状態で、他の係止片２４の右側に配置されている。各係合板２５Ａ、２５Ｂは、樹脂の弾性により、上端を支点として、ヒンジ本体２２の左右方向へ揺動可能である。各係合板２５Ａ、２５Ｂの外面には、係合凹部２６がそれぞれ形成されている。係合凹部２６は、各係合板２５Ａ、２５Ｂの前後方向へ延びる溝形状とされている。係合凹部２６には、後述するように、係合突起２９（図４の（ｂ）図参照。）が嵌合可能である。
【００１７】
カバー部２７は、上記のジョイント部２１とは別体に形成されている。図４の（ａ）図及び図５に示すように、カバー部２７の後端部には、カバー部２０の上面及び後端面を開口させた切欠空間部Ｓが形成されている。切欠空間部Ｓには、図１及び図４の（ａ）、（ｂ）図に示すように、ジョイント部２１が嵌合可能とされている。切欠空間部Ｓの前面内壁には、係止腕２８、２８が突設されている。各係止腕２８は、カバー部２７の左右方向に、上記の係止片２４、２４同士の間隔と同間隔を置いて、切欠空間部Ｓの内部で、カバー部２７の前後方向へ延びている。各係止腕２８では、カバー部２７の後端側の端部に、各係止腕２８と一体に係止爪部２８Ａが形成されている。各係止爪部２８Ａは、係止腕２８の端部から上向きに突出している。加えて、図４の（ｂ）図及び図５に示すように、切欠空間部Ｓの左右の内側壁には、切欠空間部Ｓ内へ突出する係合突起２９がそれぞれ形成されている。各係合突起２９は、左右の内側壁に沿って、カバー部２７の前後方向へ延設されている。
【００１８】
蓋体２０により集塵室１１の上方を閉鎖する際には、上記のジョイント部２１とカバー部２７とを結合させるために、ジョイント部２１を、切欠空間部Ｓに嵌合させる。このとき、図４の（ａ）図に示すように、係止段部２４Ａ、２４Ａと、係止爪部２８Ａ、２８Ａとは、互いに対向して当接することで係止されている。これにより、各係止段部２４Ａ及び各係止爪部２８Ａが、それぞれ抜け方向へ移動することが規制されて、抜け止めされる。なお、各係止段部２４Ａ及び各係止爪部２８Ａ（各係止腕２８）は、本発明の抜け止め部の一例である。
【００１９】
さらに、ジョイント部２１を、切欠空間部Ｓに嵌合させたときは、図４の（ｂ）図に示すように、各係合突起２９が、各係合板２５Ａ、２５Ｂの外面に設けた係合凹部２６に嵌合した上で、各係合板２５Ａ、２５Ｂを内側へ弾性変形させている。これにより、各係合突起２９と各係合凹部２６とが互いに圧接して、カバー部２７が、ジョイント部２１に対して回り止めされる。なお、各係合突起２９は本発明の嵌合部の一例であり、各係合板２５Ａ、２５Ｂ及び各係合突起２９は、本発明の回り止め部の一例である。
【００２０】
本実施形態では、例えば、メンテナンスやフィルタＦの交換のために、カバー部２７を本体ハウジング１０から取り外したり、誤って偶発的に受ける外力によって、カバー部２７が破損することを防止すために、カバー部２７を、ジョイント部２１から簡単に取り外し可能とした。以下に、カバー部２７を、ジョイント部２１から取り外す動作を説明する。
【００２１】
ユーザが、指で、本体ハウジング１０の先端部に設けたスライド式ボタン１７（図６参照。）を摺動させて、スライド式ボタン１７の係止突部１７Ａ（同図参照。）と、カバー部２７の係止爪２７Ａ（同図参照。）との係止状態を解除する。すると、ジョイント部２１とカバー部２７とを結合させた状態で、ねじりコイルばねＢの付勢力により、上記のヒンジ軸２３を支点として、ヒンジ本体２２及びカバー部２７が、本体ハウジング１０の後側へ回転する。
【００２２】
その後、ユーザが、手で、図８に示すように、ジョイント部２１に対して、カバー部２７をより開放させる側（ここでは、本体ハウジング１０の後側）へ回転させると、上記の係合板２５Ａ、２５Ｂの付勢に抗して、図９の（ｂ）図に示すように、各係合突起２９が、係合板２５Ａ、２５Ｂを、ヒンジ本体２２の左右方向における内側（切欠空間部Ｓの中央側）へ押し込むことで、各係合突起２９が各係合凹部２６から外れる。これにより、各係合突起２９と各係合凹部２６との係合が解除される。
【００２３】
上述した各係合突起２９と各係合凹部２６との係合を解除すると共に、上述のカバー部２７をより開放させる側へ回転させる操作で、図９の（ａ）図に示すように、各係止爪部２８Ａと各係止段部２４Ａとの係止状態が解除される。したがって、ジョイント部２１とカバー部２７との結合が解除され、図１０に示すように、カバー部２７をジョイント部２１から取り外し可能になる。
【００２４】
カバー部２７のメンテナンスが終了した後に、カバー部２７をジョイント部２１に取り付ける際には、上記のヒンジ本体２２を、本体ハウジング１０と略直交する状態に配置しておいて、ユーザが、手で、カバー部２７を持ちながら上記の各係止爪部２８Ａと各係止段部２４Ａとを互いに係止させる。これと共に、ユーザは、上記の各係合突起２９により、係合板２５Ａ、２５Ｂを弾性変形させながら、上記の係合凹部２６に各係合突起２９を嵌合させる。よって、ユーザが、各係止爪部２８Ａと各係止段部２４Ａとを係止させる操作や係合凹部２６に各係合突起２９を嵌合させる操作を行うだけで、簡単に、ジョイント部２１に対してカバー部２７を取り付け可能になる。
【００２５】
また、上記のフィルタＦを交換する際に、図７に示すように、蓋体２０が集塵室１１の上方を開放した状態で、カバー部２７に対して偶発的に、カバー部２７の先端側を本体ハウジング１０の後側へ押そうとする外力が加わることが考えられる。このような場合に、図８に示すように、カバー部２７が、該カバー部２７を開放させる側へ回転すると、上述したように、各係合突起２９と各係合凹部２６との係合状態や、各係止爪部２８Ａと各係止段部２４Ａとの係止状態が、それぞれ解除される。このため、各係合突起２９と各係合凹部２６とが互いに係合した状態で、この係合部分に過度の力が加わることを防止できる。加えて、各係止爪部２８Ａと各係止段部２４Ａが互いに係止した状態で、この係止部分に過度の力が加わることを防止できる。
【００２６】
＜本実施形態の効果＞
本実施形態のクリーナ１では、上述したように、蓋体２０が集塵室１１の上方を開放した状態で、ジョイント部２１に対して、カバー部２７をより開放させる側へ回転させて、各係合突起２９と各係合凹部２６との係合が解除されると、各係止爪部２８Ａと各係止段部２４Ａとの係止状態が解除される。これにより、カバー部２７をジョイント部２１から取り外し可能になる。したがって、集塵室１１の上方を開放させた状態で、カバー部２７のみをカバー部２７の開放側へ回転させる単純な操作を行うだけで、カバー部２７がジョイント部２１から簡単に取り外し可能になる。
また、蓋体２０が集塵室１１の上方を開放した状態で、カバー部２７の先端側を本体ハウジング１０の後側へ押そうとする外力が加わることがあっても、上述したように、カバー部２７が、該カバー部２７を開放させる側へ回転すると、各係合突起２９と各係合凹部２６との係合部分や、各係止爪部２８Ａと各係止段部２４Ａとの係止部分に過度の力が加わることを防止する。このため、前記係合部分や前記係止部分の変形や折損等を防止して、蓋体２０を形成するジョイント部２１やカバー部２７の破損を防止できる。
【００２７】
さらに、各係止段部２４Ａと各係止爪部２８Ａとを係止させる簡単な構造で、確実に、ジョイント部２１の各係止片２４とカバー２７の各係止腕２８とを係止して、カバー部２７がジョイント部２１から抜けることを防止できる。加えて、上述したように、ジョイント部２１に対して、カバー部２７をより開放側へ回転させることで、各係止爪部２８Ａが、各係止段部２４Ａを乗り越えて、簡単に、各係止爪部２８Ａと各係止段部２４Ａとの係止状態を解除できる。
また、上述したように、各係合板２５Ａ、２５Ｂの外面に設けた係合凹部２６に、各係合突起２９をそれぞれ嵌合させる簡単な構造で、確実に、ジョイント部２１の各係合板２５Ａ、２５Ｂと、カバー部２７の係合突起２９とをそれぞれ係合させて、ジョイント部２１に対するカバー部２７の回り止めが可能になる。加えて、上述したように、ジョイント部２１に対して、カバー部２７をより開放させる側へ回転させると、各係合突起２９が、係合板２５Ａ、２５Ｂを、ヒンジ本体２２の左右方向における内側へ押し込むことで、各係合突起２９が各係合凹部２６から外れる。これにより、簡単に、各係合板２５Ａ、２５Ｂの外面と係合突起２９との係合を解除できる。
【００２８】
本発明は、上述した実施形態に限定されるものではなく、発明の趣旨を逸脱しない範囲内において構成の一部を適宜変更して実施できる。例えば、上記の係合板２５Ａ、２５Ｂ及び係合突起２９を設けた上で、上述した実施形態とは異なり、ヒンジ本体２２の内面に、１つの係止爪２４を形成して、切欠空間部Ｓの前面内壁に、１つの係止腕２８を突設することで、この係止爪２４の係止段部２４Ａと、この係止腕２８の係止爪部２８Ａとを互いに係止させてもよい。
【００２９】
また、上述した実施形態とは異なり、各係合板２５Ａ、２５Ｂの外面に上記の係合突起２９を突設し、切欠空間部Ｓの左右の内側壁に上記の係合凹部２６を形成して、該係合凹部２６に係合突起２９を嵌合させてもよい。
【符号の説明】
【００３０】
１・・クリーナ、１０・・本体ハウジング、１１・・集塵室、１３・・電動送風機、２０・・蓋体、２１・・ジョイント部、２４・・係止片、２４Ａ・・係止段部、２５（２５Ａ、２５Ｂ）・・係合板、２７・・カバー部、２８・・係止腕、２８Ａ・・係止爪部、２９・・係合突起
【図１】
0005646904.tif 000002
【図２】
0005646904.tif 000003
【図３】
0005646904.tif 000004
【図４】
0005646904.tif 000005
【図５】
0005646904.tif 000006
【図６】
0005646904.tif 000007
【図７】
0005646904.tif 000008
【図８】
0005646904.tif 000009
【図９】
0005646904.tif 000010
【図１０】
0005646904.tif 000011